(57)【要約】【課題】ＣＰＲＩのＦａｓｔ Ｃ＆Ｍ Ｃｈａｎｎｅｌフィールドを有効に利用できる無線基地局システムを提供する。【解決手段】ＲＥＣの通信部と通信部２５０は、ＣＰＲＩのＣｏｎｔｒｏｌＷｏｒｄのＦａｓｔ  Ｃ＆Ｍ  Ｃａｎｎｅｌフィールドを専用ＩＰ伝送路として用いて、地震計測部２１８、気象情報観測部２１９または交通情報収集部２２０を制御するための制御信号と、地震計測部２１８、気象情報観測部２１９および交通情報収集部２２０のそれぞれの測定データと、を通信する。また、ＲＥＣの通信部と通信部２５０は、ＣＰＲＩのＣｏｎｔｒｏｌＷｏｒｄのＦａｓｔ  Ｃ＆Ｍ  Ｃａｎｎｅｌフィールドを、ＲＥＣおよび複数のＲＥ２００間の専用ＩＰ電話網として用いる。【選択図】図２
2007312185.tif 000002
【特許請求の範囲】
【請求項１】
ベースバンド信号処理を行う処理装置と、前記処理装置とＣＰＲＩで接続されＲＦ信号処理を行う無線装置と、を含む無線基地局システムであって、
前記無線装置は、
測定対象の現況を測定して該現況を表す測定データを出力する測定部と、
前記測定部が出力した測定データを、前記ＣＰＲＩのＦａｓｔ Ｃ＆Ｍ Ｃａｎｎｅｌフィールドを用いて、前記処理装置に送信する第１通信部と、を含み、
前記処理装置は、
前記ＣＰＲＩのＦａｓｔ Ｃ＆Ｍ Ｃａｎｎｅｌフィールドを用いて、前記第１通信部から前記測定データを受信する第２通信部を含む、無線基地局システム。
【請求項２】
ベースバンド信号処理を行う処理装置と、前記処理装置とＣＰＲＩで接続されＲＦ信号処理を行う無線装置と、を含む無線基地局システムであって、
前記無線装置は、
測定対象の現況を測定して該現況を表す測定データを出力する外部の測定部から、前記測定データを受け付ける受付部と、
前記受付部が受け付けた測定データを、前記ＣＰＲＩのＦａｓｔ Ｃ＆Ｍ Ｃａｎｎｅｌフィールドを用いて、前記処理装置に送信する第１通信部と、を含み、
前記処理装置は、
前記ＣＰＲＩのＦａｓｔ Ｃ＆Ｍ Ｃａｎｎｅｌフィールドを用いて、前記第１通信部から前記測定データを受信する第２通信部を含む、無線基地局システム。
【請求項３】
請求項１または２に記載の無線基地局システムにおいて、
前記処理装置は、さらに、前記測定部を制御するための制御信号を出力する出力部を含み、
前記第２通信部は、前記出力部が出力した制御信号を、前記ＣＰＲＩのＦａｓｔ Ｃ＆Ｍ Ｃａｎｎｅｌフィールドを用いて、前記第１通信部に送信し、
前記第１通信部は、前記ＣＰＲＩのＦａｓｔ Ｃ＆Ｍ Ｃａｎｎｅｌフィールドを用いて、前記第２通信部から前記制御信号を受信し、該制御信号を前記測定部に出力する、無線基地局システム。
【請求項４】
請求項１ないし３のいずれか１項に記載の無線基地局システムにおいて、
前記無線装置は、さらに、ＩＰ電話信号用の第１インターフェースを含み、
前記処理装置は、さらに、ＩＰ電話信号用の第２インターフェースを含み、
前記第１および第２通信部は、前記ＣＰＲＩのＦａｓｔ Ｃ＆Ｍ Ｃａｎｎｅｌフィールドを用いて、前記第１および第２インターフェースを接続する、無線基地局システム。
【発明の詳細な説明】
【技術分野】
【０００１】
本発明は、ベースバンド信号処理装置（以下「ＲＥＣ」と称する。）と、ＲＦ信号処理を行う遠隔無線部（以下「ＲＥ」と称する。）と、を含む無線基地局システムに関し、特には、ＲＥＣと複数のＲＥとが、インターフェース規格であるＣＰＲＩ（Common Public Radio Interface）で接続されている無線基地局システムに関する。
【背景技術】
【０００２】
従来、種々の通信システムが知られている。例えば、特許文献１（特開昭６２−７６９３５号公報）には、中央制御局をもつマルチチャネルアクセスシステムが記載されている。
【０００３】
また、無線基地局装置に含まれていたＲＥＣおよびＲＥが分離され、１つのＲＥＣに複数のＲＥがケーブルにて接続される無線基地局システムも知られている。
【０００４】
ＲＥＣとＲＥを接続するためのインターフェース規格として、ＣＰＲＩが存在する。ＣＰＲＩには、例えば、ＲＥＣ内のＣＰＵとＲＥ内のＣＰＵの間の通信に用いられるＦａｓｔ Ｃ＆Ｍ Ｃｈａｎｎｅｌフィールドが存在する。
【特許文献１】特開昭６２−７６９３５号公報
【発明の開示】
【発明が解決しようとする課題】
【０００５】
従来、ＣＰＲＩでは、制御用のＦａｓｔ Ｃ＆Ｍ Ｃｈａｎｎｅｌフィールドが未使用、または、有効に利用されていなかった。
【０００６】
本発明の目的は、ＣＰＲＩのＦａｓｔ Ｃ＆Ｍ Ｃｈａｎｎｅｌフィールドを有効に利用できる無線基地局システムを提供することである。
【課題を解決するための手段】
【０００７】
上記目的を達成するために、本発明の無線基地局システムは、ベースバンド信号処理を行う処理装置と、前記処理装置とＣＰＲＩで接続されＲＦ信号処理を行う無線装置と、を含む無線基地局システムであって、前記無線装置は、測定対象の現況を測定して該現況を表す測定データを出力する測定部と、前記測定部が出力した測定データを、前記ＣＰＲＩのＦａｓｔ Ｃ＆Ｍ Ｃａｎｎｅｌフィールドを用いて、前記処理装置に送信する第１通信部と、を含み、前記処理装置は、前記ＣＰＲＩのＦａｓｔ Ｃ＆Ｍ Ｃａｎｎｅｌフィールドを用いて、前記第１通信部から前記測定データを受信する第２通信部を含む。
【０００８】
また、本発明の無線基地局システムは、ベースバンド信号処理を行う処理装置と、前記処理装置とＣＰＲＩで接続されＲＦ信号処理を行う無線装置と、を含む無線基地局システムであって、前記無線装置は、測定対象の現況を測定して該現況を表す測定データを出力する外部の測定部から、前記測定データを受け付ける受付部と、前記受付部が受け付けた測定データを、前記ＣＰＲＩのＦａｓｔ Ｃ＆Ｍ Ｃａｎｎｅｌフィールドを用いて、前記処理装置に送信する第１通信部と、を含み、前記処理装置は、前記ＣＰＲＩのＦａｓｔ Ｃ＆Ｍ Ｃａｎｎｅｌフィールドを用いて、前記第１通信部から前記測定データを受信する第２通信部を含む。
【０００９】
上記発明によれば、測定データは、ＣＰＲＩのＦａｓｔ Ｃ＆Ｍ Ｃｈａｎｎｅｌフィールドを通って、無線装置から処理装置に送信される。このため、専用の回線を必要とせずに、測定データを処理装置に送信でき、また、ＣＰＲＩのＦａｓｔ Ｃ＆Ｍ Ｃｈａｎｎｅｌフィールドを有効に活用できる。よって、無線装置を有する無線基地局システムの付加価値を高め、伝送路資源を有効に利用することが可能になる。
【００１０】
なお、前記処理装置は、さらに、前記測定部を制御するための制御信号を出力する出力部を含み、前記第２通信部は、前記出力部が出力した制御信号を、前記ＣＰＲＩのＦａｓｔ Ｃ＆Ｍ Ｃａｎｎｅｌフィールドを用いて、前記第１通信部に送信し、前記第１通信部は、前記ＣＰＲＩのＦａｓｔ Ｃ＆Ｍ Ｃａｎｎｅｌフィールドを用いて、前記第２通信部から前記制御信号を受信し、該制御信号を前記測定部に出力することが望ましい。
【００１１】
上記発明によれば、制御信号は、ＣＰＲＩのＦａｓｔ Ｃ＆Ｍ Ｃｈａｎｎｅｌフィールドを通って、処理装置から測定部に送信される。このため、専用の回線を必要とせずに、制御信号を測定部に送信でき、また、ＣＰＲＩのＦａｓｔ Ｃ＆Ｍ Ｃｈａｎｎｅｌフィールドを有効に活用できる。
【００１２】
また、前記無線装置は、さらに、ＩＰ電話信号用の第１インターフェースを含み、前記処理装置は、さらに、ＩＰ電話信号用の第２インターフェースを含み、前記第１および第２通信部は、前記ＣＰＲＩのＦａｓｔ Ｃ＆Ｍ Ｃａｎｎｅｌフィールドを用いて、前記第１および第２インターフェースを接続することが望ましい。
【００１３】
上記発明によれば、ＣＰＲＩのＦａｓｔ Ｃ＆Ｍ Ｃａｎｎｅｌフィールドが、処理装置と無線装置間のＩＰ電話網として用いられる。このため、処理装置と無線装置間でＩＰ電話信号用の専用の回線が必要とならず、ＣＰＲＩのＦａｓｔ Ｃ＆Ｍ Ｃｈａｎｎｅｌフィールドを有効に活用できる。
【発明の効果】
【００１４】
本発明によれば、ＣＰＲＩのＦａｓｔ Ｃ＆Ｍ Ｃｈａｎｎｅｌフィールドを有効に利用することが可能になる。
【発明を実施するための最良の形態】
【００１５】
以下、本発明の実施例である無線基地局システムを、図面を参照して説明する。
【００１６】
本無線基地局システムは、Ｗ−ＣＤＭＡ基地局システムであり、ベースバンド信号処理装置（以下「ＲＥＣ」と称する。）と複数の遠隔無線装置（以下「ＲＥ」と称する。）を有し、高速デジタル信号を伝送する。なお、ＲＥＣは、複数のＲＥと、ＣＰＲＩに基づいて、全２重の１本の光ケーブルまたは電気ケーブルによって接続される。
【００１７】
図１は、ＲＥＣ１００の一例を示したブロック図である。
【００１８】
図１において、ＲＥＣ１００は、ベースバンド信号処理部／チャネルコーディング部または受信処理部（以下、単に「処理部」と称する。）１０１、ＣＰＵ１０２、ＳＣＣコントローラ１０３、フレームタイミング生成部（以下、単に「生成部」と称する。）１０４、および、フレーム番号生成部（以下、単に「生成部」と称する。）１０５を含む。
【００１９】
また、ＲＥＣ１００は、下り送信系として、チャネライゼーションコーディング処理部（以下、単に「処理部」と称する。）１０６、スクランブルコーディング処理部（以下、単に「処理部」と称する。）１０７、ＭＵＸ（multiplexer：多重化）部１０８、Ｆａｓｔ  Ｃ＆Ｍ  Ｃｈａｎｎｅｌフィールド多重部（以下、単に「多重部」と称する。）１０９、遠隔無線装置間伝送用フォーマットコンバート部（以下、単に「コンバート部」と称する。）１１０、高速デジタル信号用コーディング部（以下、単に「コーディング部」と称する。）１１１、パラレルシリアル変換部（以下、単に「変換部」と称する。）１１２、電気信号−光信号変換部（以下、単に「変換部」と称する。）１１３、測定器制御用信号処理部（以下、単に「処理部」と称する。）１１４、および、計測器制御用フォーマットコンバート部（以下、単に「コンバート部」と称する。）１１５を含む。
【００２０】
また、ＲＥＣ１００は、上り受信系として、光信号−電気信号変換部（以下、単に「変換部」と称する。）１１６、シリアルパラレル変換部（以下、単に「変換部」と称する。）１１７、高速デジタル信号用デコーディング部（以下、単に「デコーディング部」と称する。）１１８、受信フォーマットコンバート部（以下、単に「コンバート部」と称する。）１１９、ＤＥＭＵＸ（demultiplexer：逆多重化）部１２０、Ｆａｓｔ  Ｃ＆Ｍ  Ｃｈａｎｎｅｌフォールド分離部（以下、単に「分離部」と称する。）１２１、計測器収集用フォーマットコンバート部（以下、単に「コンバート部」と称する。）１２２、計測器収集用信号処理部（以下、単に「処理部」と称する。）１２３、および、外部インターフェース部１２４を含む。
【００２１】
ＲＥＣ１００は、さらに、ＩＰ電話網１と接続するためのＩＰ電話インターフェース部１２５、ＩＰ電話信号処理部（以下、単に「処理部」と称する。）１２６、および、ＩＰ電話用フォーマットコンバート部（以下、単に「コンバート部」と称する。）１２７を含む。
【００２２】
なお、多重部１０９、コンバート部１１０、コーディング部１１１、変換部１１２、変換部１１３、変換部１１６、変換部１１７、デコーディング部１１８、コンバート部１１９、ＤＥＭＵＸ部１２０、および、分離部１２１で、通信部（第２通信部）１５０を構成する。また、処理部１１４は、出力部の一例である。
【００２３】
図２は、ＲＥ２００の一例を示したブロック図である。
【００２４】
図２において、ＲＥ２００は、ＲＦ部２０１、ＣＰＵ２０２、および、ＳＣＣコントローラ２０３を含む。
【００２５】
また、ＲＥ２００は、下り送信系として、光信号−電気信号変換部（以下、単に「変換部」と称する。）２０４、シリアルパラレル変換部（以下、単に「変換部」と称する。）２０５、ＣＬＫ抽出部２０６、ＰＬＬ部２０７、高速デジタル信号用デコーディング部（以下、単に「デコーディング部」と称する。）２０８、Ｆａｓｔ  Ｃ＆Ｍ  Ｃｈａｎｎｅｌフィールド分離部（以下、単に「分離部」と称する。）２０９、ＤＥＭＵＸ部２１０、および、変調部２１１を含む。
【００２６】
また、ＲＥ２００は、上り受信系として、復調部２１２、ＭＵＸ部２１３、Ｆａｓｔ  Ｃ＆Ｍ  Ｃｈａｎｎｅｌフィールド多重部（以下、単に「多重部」と称する。）２１４、高速デジタル信号用コーディング部（以下、単に「コーディング部」と称する。）２１５、パラレルシリアル変換部（以下、単に「変換部」と称する。）２１６、および、電気信号−光信号変換部（以下、単に「変換部」と称する。）２１７を含む。
【００２７】
ＲＥ２００は、さらに、地震計測部２１８、気象情報観測部２１９、交通情報収集部２２０、外部インターフェース２２１、および、ＲＥＣ−ＲＥ間伝送用フォーマットコンバート部（以下、単に「コンバート部」と称する。）２２２を含む。外部インターフェース２２１は、外部の地震計測装置２、外部の気象情報観測装置３、外部の交通情報収集装置４と接続される。なお、ＲＥ２００が、地震計測部２１８、気象情報観測部２１９および交通情報収集部２２０を含んでいれば、外部インターフェース２２１は省略されてもよく、ＲＥ２００が、外部インターフェース２２１を含んでいれば、地震計測部２１８、気象情報観測部２１９および交通情報収集部２２０は省略されてもよい。
【００２８】
ＲＥ２００は、さらに、ＩＰ電話５と接続するためのＩＰ電話インターフェース部２２３、ＩＰ電話信号処理部（以下、単に「処理部」と称する。）２２４、および、ＩＰ電話用フォーマットコンバート部２２５を含む。
【００２９】
変換部２０４、変換部２０５、ＣＬＫ抽出部２０６、ＰＬＬ部２０７、デコーディング部２０８、分離部２０９、多重部２１４、コーディング部２１５、変換部２１６、および、変換部２１７で、通信部（第１通信部）２５０を構成する。
【００３０】
地震計測部２１８、気象情報観測部２１９および交通情報収集部２２０のそれぞれは、測定部の一例である。なお、ＲＥ２００は、少なくとも、地震計測部２１８、気象情報観測部２１９および交通情報収集部２２０のいずれか１つを有していればよい。
【００３１】
外部の地震計測装置２、外部の気象情報観測装置３および外部の交通情報収集装置４のそれぞれは、外部の測定部の一例である。なお、外部インターフェース部２２１は、少なくとも、外部の地震計測装置２、外部の気象情報観測装置３および外部の交通情報収集装置４のいずれか１つと接続されればよい。
【００３２】
通信部１５０と通信部２５０は、ＣＰＲＩのＣｏｎｔｒｏｌＷｏｒｄのＦａｓｔ  Ｃ＆Ｍ  Ｃａｎｎｅｌフィールドを専用ＩＰ伝送路として利用する。
【００３３】
通信部１５０と通信部２５０は、測定部の制御と、測定部の測定データの伝達および収集を、ＣＰＲＩのＣｏｎｔｒｏｌＷｏｒｄのＦａｓｔ  Ｃ＆Ｍ  Ｃａｎｎｅｌフィールドを用いて行うことで、他の専用回線を必要とせずに、測定部の制御と、測定部の測定データの伝達および収集を行うことができる。
【００３４】
また、ＲＥＣ１００とＲＥ２００は、ＩＰ電話インターフェースおよびＩＰ電話信号処理部を有し、通信部１５０と通信部２５０は、ＣＰＲＩのＣｏｎｔｒｏｌＷｏｒｄのＦａｓｔ  Ｃ＆Ｍ  Ｃａｎｎｅｌフィールドを、ＲＥＣ１００および複数のＲＥ２００間の専用ＩＰ電話網として用いる。
【００３５】
ＲＥＣ１００では、処理部１０１は、送信データを、ベースバンド処理／チャネルコーディング処理する。
【００３６】
処理部１０６は、ベースバンド処理／チャネルコーディング処理された送信データを、チャネライゼーションコーディング処理する。
【００３７】
処理部１０７は、チャネライゼーションコーディング処理された送信データを、スクランブルコーディング処理してデジタル信号を生成し、そのデジタル信号を、アンテナ単位で多重し、そのアンテナ単位でのデジタル多重信号を、ＭＵＸ部１０８に出力する。
【００３８】
ＭＵＸ部１０８は、そのアンテナ単位でのデジタル多重信号、ＣＰＵ間通信信号、ＲＥＣ１００のフレームタイミング信号、フレーム番号、および、基準ＣＬＫなどを、ＭＵＸ（多重化）する。
【００３９】
また、ＲＥＣ１００内の処理部１１４は、ＣＰＵ１０２からの制御により、または、外部の計測信号収集装置６からの制御により、ＲＥ２００内の地震計測部２１８、気象情報観測部２１９または交通情報収集機能を制御するための制御信号、または、ＲＥ２００に接続された地震計測装置２、気象情報観測装置３または交通情報収集装置４を制御するための制御信号を生成する。
【００４０】
コンバート部１１５は、その制御信号のフォーマットを、ＲＥＣ１００とＲＥ２００間のＩＰ伝送用のＥｔｈｅｒフレーム用に変換（コンバート）し、そのフォーマットが変更された制御信号を多重部１０９に出力する。
【００４１】
多重部１０９は、ＣＰＲＩのＣｏｎｔｒｏｌＷｏｒｄのＦａｓｔ  Ｃ＆Ｍ  Ｃａｎｎｅｌフィールドにおいて、その制御信号を、アンテナ単位でのデジタル多重信号に多重する。
【００４２】
また、ＩＰ電話インターフェース１２５が外部のＩＰ電話網１から受け付けたＩＰ電話信号を、処理部１２６は処理し、コンバート部１２７は、その処理されたＩＰ電話信号のフォーマットを、ＲＥＣ-ＲＥ間ＩＰ伝送用のＥｔｈｅｒフレーム用にコンバートする。
【００４３】
多重部１０９は、そのフォーマットが変更されたＩＰ電話信号も、アンテナ単位でのデジタル多重信号に多重する。
【００４４】
コンバート部１１０は、多重部１０９で多重されたベースバンド信号のフォーマットを、遠隔無線装置間伝送用にコンバートする。また、コンバート部１１０は、ＣＰＵ１０２からの制御により、複数のＲＥの中の任意のＲＥに、そのフォーマットが変換された信号を振り分ける。
【００４５】
コーディング部１１１は、高速デジタル信号伝送を行うために、振り分けられた信号を8ｂ/10ｂなどでコーディングする。信号が8ｂ/10ｂでコーディングされた場合、フレームタイミングとして、コンマコードを使用することができ、フレーム認識用とＣＨＩＰ認識用など異なったタイミングでの基準タイミングが伝送される場合には、異なるコンマコードを使用することも可能となる。本実施例では、コーディング部１１１は、その信号を8ｂ/10ｂでコーディングする。
【００４６】
変換部１１２は、コーディングされたデジタル信号をパラレルシリアル変換して、高速差動デジタル信号を生成する。
【００４７】
変換部１１３は、電気信号である高速差動デジタル信号を光信号に変換し、その光信号を光ケーブルを通じてＲＥ２００に伝送する。また、変換部１１３は、高速差動デジタル信号を電気信号のままＲＥ２００に伝送することも可能である。
【００４８】
複数のＲＥ２００では、変換部２０４は、ＲＥＣ１００から光ケーブル（または電気ケーブル）によって送信されてきた光信号を、電気信号（高速差動デジタル信号）に変換する。
【００４９】
変換部２０５は、電気信号となった高速差動デジタル信号をシリアルパラレル変換して多重された信号を復元する。
【００５０】
デコーディング部２０８は、変換部２０５にて復元された信号を8ｂ/10ｂデコーディングし、そのデコーディングされた信号を分離部２０９に出力する。
【００５１】
分離部２０９は、そのデコーディングされた信号から、制御信号とＩＰ電話信号を分離し、その制御信号をコンバート部２２２に出力し、そのＩＰ電話信号をコンバート部２２５に出力する。
【００５２】
コンバート部２２２は、その制御信号のフォーマットを元に戻し、その後、その制御信号を、地震計測部２１８、気象情報観測部２１９、交通情報収集２２０、地震計測装置２、気象情報観測装置３、または、交通情報収集装置４に出力して、それらを制御する。
【００５３】
コンバート部２２５は、そのＩＰ電話信号のフォーマットを元に戻し、その後、そのＩＰ電話信号を処理部２２４に出力する。
【００５４】
処理部２２４は、そのＩＰ電話信号を処理し、そのＩＰ電話信号をＩＰ電話インターフェース部２２３から外部のＩＰ電話５に出力する。
【００５５】
地震計測部２１８、気象情報観測部２１９および交通情報収集部２２０は、それぞれ必要な観測を行い、定期的または非定期的にＲＥＣ１００に対して観測結果（測定データ）を送信する。
【００５６】
地震計測部２１８、気象情報観測部２１９および交通情報収集部２２０のそれぞれで観測された結果を表す測定データ、または、外部の地震計測装置２、気象情報観測装置３および交通情報収集装置４のそれぞれから外部インターフェース部２２１に入力された測定データは、コンバート部２２２によって、ＲＥＣ-ＲＥ間ＩＰ伝送用のＥｔｈｅｒフレーム用のフォーマットに変換される。コンバート部２２２は、そのフォーマットが変換された測定データを、多重部２１４に出力する。
【００５７】
ＲＦ部２０１は、無線信号の送受信し、受信した信号（以下「受信データ」と称する。）を復調部２１２に出力する。復調部２１２は、ＲＦ部２０１から受け付けた受信データを復調し、その復調された受信データをＭＵＸ部２１３に出力する。
【００５８】
ＭＵＸ部２１３は、その受信データのフォーマットを変換し、その後、その受信データを多重部２１４に出力する。なお、ＭＵＸ部２１３は、ＳＣＣコントローラ２０３からＣＰＵ間通信信号を受け付け、そのＣＰＵ間通信信号をその受信データと多重し、その多重信号のフォーマットを変更し、その後、その多重信号を多重部２１４に出力する。
【００５９】
多重部２１４は、コンバート部２２２から受け付けた測定データと、ＭＵＸ部２１３から受け付けた多重信号を多重する。
【００６０】
処理部２２４は、ＩＰ電話インターフェース部２２３が外部のＩＰ電話５から受け付けたＩＰ電話信号を処理し、そのＩＰ電話信号をコンバート部２２５に出力する。
【００６１】
コンバート部２２５は、そのＩＰ電話信号のフォーマットを、ＲＥＣ-ＲＥ間ＩＰ通信用のＥｔｈｅｒフレーム用に変換し、そのフォーマットが変換されたＩＰ電話信号を多重部２１４に出力する。
【００６２】
多重部２１４は、コンバート部２２５から受け付けたＩＰ電話信号を、測定データと同様に、ＭＵＸ部２１３から受け付けた多重信号と多重する。
【００６３】
多重部２１４は、多重された信号をコーディング部２１５に出力する。
【００６４】
コーディング部２１５は、高速デジタル信号伝送を行うために、その多重された信号を8ｂ/10ｂなどでコーディングし、そのコーディングされた信号を変換部２１６に出力する。
【００６５】
変換部２１６は、コーディング２１５から受け付けた信号をシリアルパラレル変換して高速差動デジタル信号に変換し、その高速差動デジタル信号を変換部２１７に出力する。
【００６６】
変換部２１７は、変換部２１６から受け付けた高速差動デジタル信号を光信号に変換し、その光信号を光ケーブルを通じてＲＥＣ１００に送信する。
【００６７】
再び、ＲＥＣ１００では、変換部１１６は、光ケーブルから受け付けた光信号を電気信号（高速差動デジタル信号）に変換し、変換部１１７は、その高速差動デジタル信号をシリアルパラレル変換し、デコーディング部１１８は、変換部１１７の出力を8ｂ/10ｂでデコーディングし、そのデコーディング結果を、コンバート部１１９を介して、ＤＥＭＵＸ部１２０に出力する。
【００６８】
ＤＥＭＵＸ部１２０は、コンバート部１１９から受け付けた信号から、ＣＰＵ間通信信号を分離し、そのＣＰＵ間通信信号を、ＳＣＣコントローラ１０３を通してＣＰＵ１０２に出力し、また、ＣＰＵ間通信信号が取り除かれた信号を、分離部１２１に出力する。
【００６９】
分離部１２１は、ＤＥＭＵＸ部１２０から受け付けた信号から、測定データおよびＩＰ電話信号を分離し、その測定データをコンバート部１２２に出力し、そのＩＰ電話信号をコンバート部１２７に出力する。
【００７０】
コンバート部１２２は、分離部１２１から受け付けた測定データのフォーマットを変換して、変換前の測定データを生成し、その測定データを処理部１２３に出力する。なお、コンバート部１２２は、外部インターフェース部１２４を通して外部の計測信号収集装置６に、その測定データを提供してもよい。
【００７１】
処理部１２３は、コンバート部１２２から受け付けた測定データを処理して、必要な情報を収集する。
【００７２】
コンバート部１２７は、分離部１２１から受け付けたＩＰ電話信号のフォーマットを変更して、変更前のＩＰ電話信号を生成し、そのＩＰ電話信号を処理部１２６に出力する。
【００７３】
処理部１２６は、コンバート部１２７から受け付けたＩＰ電話信号を処理し、そのＩＰ電話信号をＩＰ電話インターフェース部１２５を通して外部ＩＰ電話網１に出力する。
【００７４】
次に、図１および図２を参照して動作を説明する。
【００７５】
図１において、ＲＥＣ１００の下り送信系では、処理部１０１が、ベースバンド信号処理部とチャネルコーディング部とを含む場合、処理部１０１は、ベースバンド信号処理／チャネルコーディング処理等の処理を行って、送信信号からシンボルデータ（送信データ）を生成する。なお、処理部１０１が受信処理部である場合、処理部１０１は、外部で生成されたシンボルデータを受信する。処理部１０１は、そのシンボルデータを、処理部１０６に出力する。
【００７６】
処理部１０６は、シンボルデータを受け付けると、そのシンボルデータを、チャネライゼーションコーディングする。処理部１０６は、チャネライゼーションコーディングされたシンボルデータを、処理部１０７に出力する。
【００７７】
処理部１０７は、そのデータを受け付けると、そのデータをスクランブルコーディングしてデジタル信号を生成し、そのデジタル信号を、送信アンテナ単位で多重して、ＭＵＸ部１０８に出力する。
【００７８】
ＭＵＸ部１０８は、処理部１０７から出力された信号、生成部１０４で生成されたフレームタイミング信号、および、生成部１０５で生成されたフレーム番号を受け付け、さらに、複数のＲＥの各ＣＰＵとＳＣＣ通信などのＣＰＵ間通信を行うためのＣＰＵ間通信信号を、複数のＳＣＣコントローラ１０３を通して受け付け、それらを多重し、その多重されたデジタル信号を、多重部１０９に出力する。
【００７９】
このとき、フレームタイミング信号として、高速デジタル通信用のコーディングの特殊なコードが、割り振られてもよい。
【００８０】
例えば、高速デジタル通信用コーディング方式として、8ｂ/10ｂコーディングが採用されている場合には、フレームタイミング信号として、コンマコードを使用することができ、フレームタイミング認識用とＣＨＩＰタイミング認識用など異なったタイミングでの基準タイミングが伝送される場合には、異なるコンマコードを使用することも可能となる。フレーム番号およびＣＰＵ間通信信号は、フレームタイミング信号を基準として周期的に挿入され、伝送される。
【００８１】
また、処理部１１４は、ＲＥ２００に設けられた地震計測部２１８、気象情報観測部２１９および交通情報収集部２２０のそれぞれが送信する測定データの送信タイミングの開始／停止指示、観測周期、および、測定データの送信間隔変更などを表す制御信号を生成し、その制御信号を、コンバート部１１５に出力する。
【００８２】
コンバート部１１５は、制御信号を受け付けると、その制御信号のフォーマットを、ＲＥＣ−ＲＥ間ＩＰ伝送用のＥｔｈｅｒフレーム用に変換し、そのフォーマットが変換された制御信号（以下、「変換後制御信号」と称する。）を、多重部１０９に出力する。
【００８３】
また、ＩＰ電話インターフェース部１２５は、外部のＩＰ電話網１と接続され、処理部１２６は、ＩＰ電話インターフェース部１２５から受け付けたＩＰ電話信号を処理し、その処理されたＩＰ電話信号を、コンバート部１２７に出力する。
【００８４】
コンバート部１２７は、そのＩＰ電話信号を受け付けると、そのＩＰ電話信号のフォーマットを、ＲＥＣ−ＲＥ間ＩＰ伝送用のＥｔｈｅｒフレーム用に変換し、そのフォーマットが変換されたＩＰ電話信号（以下、「変換後ＩＰ電話信号」と称する。）を、多重部１０９に出力する。
【００８５】
多重部１０９は、ＭＵＸ部１０８から受け付けたスクランブルコーディングされたデジタル信号と、変換後制御信号および変換後ＩＰ電話信号の多重を行い、多重されたデジタル信号を、コンバート部１１０に出力する。
【００８６】
コンバート部１１０は、多重部１０９から受け付けた信号（送信アンテナ単位の多重デジタル信号、変換後制御信号および変換後ＩＰ電話信号が多重されているデジタル信号）が提供されるＲＥを、ＲＥＣ１００に接続されている複数のＲＥから、ＣＰＵ１０２の制御に基づいて選択する。
【００８７】
コンバート部１１０は、その選択されたＲＥに対応するコーディング部１１１に、多重部１０９から受け付けた信号（多重されたデジタル信号）を出力する。
【００８８】
コーディング部１１１は、その多重されたデジタル信号を受け付けると、そのデジタル信号をコーディング（例えば8ｂ/10ｂコーディング）し、そのコーディングされたデジタル信号を、変換部１１２に出力する。
【００８９】
変換部１１２は、8ｂ/10ｂなどにコーディングされたデジタル信号を受け付けると、そのデジタル信号をパラレルシリアル変換して、ＬＶＤＳまたはＬＣＰＥＣＬなどの高速差動デジタル信号を生成する。変換部１１２は、その高速差動デジタル信号を、変換部１１３に出力する。
【００９０】
変換部１１３は、電気信号である高速差動デジタル信号を受け付けると、その電気信号を光信号に変換して、その光信号を出力する。その光信号は、光ケーブルを通じてＲＥ２００に伝送される。なお、ＲＥＣ１００がＲＥ２００と電気テーブルで接続されている場合、変換部１１３は、その電気信号を、電気ケーブルを通じてＲＥ２００に出力する。
【００９１】
図２において、ＲＥ２００の下り送信系では、変換部２０４は、ＲＥＣ１００から光ケーブルを通して受け付けた光信号を電気信号に変換して電気信号の高速差動デジタル信号を生成し、その高速差動デジタル信号を変換部２０５に出力する。なお、変換部２０４は、ＲＥＣ１００から電気ケーブルを通して電気信号（高速差動デジタル信号）を受け付けた場合、その高速差動デジタル信号を、変換部２０５に出力する。
【００９２】
変換部２０５は、高速差動デジタル信号を受け付けると、その高速差動デジタル信号をパラレルデジタル信号に変換する。変換部２０５は、パラレル変換されたデジタル信号を、ＣＬＫ抽出部２０６およびデコーディング部２０８に出力する。
【００９３】
ＣＬＫ抽出部２０６は、そのデジタル信号を受け付けると、そのデジタル信号から受信ＣＬＫを抽出する。
【００９４】
一方、デコーディング部２０８は、そのデジタル信号を受け付けると、そのデジタル信号をデコーディングし、そのデコーディングされたデジタル信号を、分離部２０９に出力する。
【００９５】
分離部２０９は、そのデジタル信号を受け付けると、そのデジタル信号から、変換後制御信号と変換後ＩＰ電話信号とを分離する。分離部２０９は、その変換後制御信号をコンバート部２２２に出力し、その変換後ＩＰ電話信号をコンバート部２２５に出力し、その変換後制御信号および変換後ＩＰ電話信号が取り除かれたデジタル信号をＤＥＭＵＸ部２１０に出力する。
【００９６】
ＤＥＭＵＸ部２１０は、分離部２０９からそのデジタル信号を受け付けると、そのデジタル信号から、スクランブルコーディングされたデジタル信号と、ＣＰＵ間通信信号とを分離する。ＤＥＭＵＸ部２１０は、そのスクランブルコーディングされたデジタル信号を変調部２１１に出力し、そのＣＰＵ間通信信号をＳＣＣコントローラ２０３に出力する。
【００９７】
なお、ＤＥＭＵＸ部２１０は、フレームタイミング抽出部およびフレーム番号抽出部を含み、そのフレームタイミング抽出部は、そのデジタル信号から、フレームタイミングを抽出する。このフレームタイミングは、後段にて使用されるとともに、上り受信系でのフレームタイミング信号として使用される。また、そのフレーム番号抽出部は、そのデジタル信号から、フレーム番号を抽出し、そのフレーム番号をＣＰＵ２０２へ出力する。
【００９８】
変調部２１１は、スクランブルコーディングされたデジタル信号を受け付けると、そのデジタル信号を変調し、その変調された信号をＲＦ部（主にＡＭＰ）２０１へ出力する。ＲＦ部２０１は、その信号を無線で送信する。
【００９９】
ＳＣＣコントローラ２０３は、ＣＰＵ間通信信号を受け付けると、そのＣＰＵ間通信信号をＣＰＵ２０２に出力する。
【０１００】
一方、コンバート部２２２は、変換後制御信号を受け付けると、その変換後制御信号のフォーマットを変換前のフォーマットに変換して制御信号を生成する。
【０１０１】
コンバート部２２２は、その制御信号を、地震計測部２１８、気象情報観測部２１９または交通情報収集部２２０に出力して、それらを制御する。
【０１０２】
なお、コンバート部２２２は、その制御信号を、外部インターフェース部２２１を通して、外部の地震計測装置２、外部の気象情報計測装置３、または、外部の交通情報収集装置４に出力して、それらを制御してもよい。
【０１０３】
一方、コンバート部２２５は、変換後ＩＰ電話信号を受け付けると、その変換後ＩＰ電話信号を逆変換して、変換前のＩＰ電話信号を生成し、そのＩＰ電話信号を処理部２２４に出力する。
【０１０４】
処理部２２４は、そのＩＰ電話信号を受け付けると、そのＩＰ電話信号を処理し、その処理結果を、ＩＰ電話インターフェース部２２３を通して外部ＩＰ電話５に送信する。
【０１０５】
一方、地震計測部２１８は、地震の震度の測定を行い、その結果を表す測定データをデジタル信号でコンバート部２２２に出力する。
【０１０６】
気象情報観測部２１９は、気温・降水量・風向／風速・日照などの計測を定期的に行い、その結果を表す測定データをデジタル信号でコンバート部２２２に出力する。
【０１０７】
交通情報収集部２２０は、交通渋滞情報の計測を定期的に行い、その結果を表す測定データをデジタル信号でコンバート部２２２に出力する。
【０１０８】
また、外部インターフェース部２２１は、地震観測装置２、気象情報観測装置３、または、交通情報収集装置４から、同様の測定データを受け付けると、その測定データをコンバート部２２２に出力する。
【０１０９】
コンバート部２２２は、測定データを受け付けると、その測定データのフォーマットをＲＥＣ-ＲＥ間ＩＰ通信用Ｅｔｈｅｒフレーム用に変換して変換後測定データを生成し、その変換後測定データを多重部２１４に出力する。
【０１１０】
ＲＥ２００の受信系では、ＲＦ部２０１は、受信信号を受け付けると、その受信信号を復調部２１２に出力する。
【０１１１】
復調部２１２は、受信信号を受け付けると、その受信信号を復調してデジタル信号を生成し、そのデジタル信号をＭＵＸ部２１３に出力する。
【０１１２】
ＭＵＸ部２１３は、デジタル信号を受け付けると、そのデジタル信号と、ＳＣＣコントローラ２０３から受け付けたＣＰＵ間通信信号と、ＤＥＭＵＸ部２１０内のフレームタイミング抽出部から受け付けたフレームタイミング信号のそれぞれのフォーマットを変換する。この場合、送信系と同様にフレームタイミングとして、高速デジタル信号用の特殊コードが採用されてもよい。
【０１１３】
ＭＵＸ部２１３は、それらフォーマットが変換された信号を、多重部２１４に出力する。
【０１１４】
多重部２１４は、それらフォーマットが変換された信号と、コンバート部２２２より受け付けた変換後測定データとを多重し、その多重された信号をコーディング部２１５に出力する。
【０１１５】
また、処理部２２４は、ＩＰ電話インターフェース部２２３が外部のＩＰ電話５から受け付けたＩＰ電話信号を処理し、そのＩＰ電話信号をコンバート部２２５に出力する。
【０１１６】
コンバート部２２５は、そのＩＰ電話信号のフォーマットを、ＲＥＣ-ＲＥ間ＩＰ通信用のＥｔｈｅｒフレーム用に変換して変換後ＩＰ電話信号を生成し、その変換後ＩＰ電話信号を多重部２１４に出力する。
【０１１７】
多重部２１４は、コンバート部２２５から受け付けた変換後ＩＰ電話信号を、変換後測定データと同様に、ＭＵＸ部２１３から受け付けた多重信号と多重する。
【０１１８】
コーディング部２１５は、その多重化された信号を受け付けると、その信号をコーディング（例えば8ｂ/10ｂコーディング）し、そのコーディングされた信号を変換部２１６に出力する。
【０１１９】
変換部２１６は、そのコーディングされた信号をシリアル変換して、高速差動デジタル信号を生成し、その高速差動デジタル信号を変換部２１７に出力する。
【０１２０】
変換部２１７は、電気信号である高速差動デジタル信号を受け付けると、その電気信号を光信号に変換して、その光信号を出力する。その光信号は、光ケーブルを通じてＲＥＣ１００に伝送される。なお、ＲＥＣ１００がＲＥ２００と電気テーブルで接続されている場合、変換部２１７は、その電気信号を、電気ケーブルを通じてＲＥＣ１００に出力する。
【０１２１】
図１に戻って、ＲＥＣ１００の受信系では、変換部１１６は、ＲＥ２００から光ケーブルを通して受け付けた光信号を電気信号に変換して電気信号の高速差動デジタル信号を生成し、その高速差動デジタル信号を変換部１１７に出力する。なお、変換部１１６は、ＲＥ２００から電気ケーブルを通して電気信号（高速差動デジタル信号）を受け付けた場合、その高速差動デジタル信号を、変換部１１７に出力する。
【０１２２】
変換部１１７は、高速差動デジタル信号を受け付けると、その高速差動デジタル信号をシリアルパラレル変換する。変換部１１７は、パラレル変換されたデジタル信号を、デコーディング部１１８に出力する。
【０１２３】
デコーディング部１１８は、そのデジタル信号を受け付けると、そのデジタル信号を8ｂ／10ｂでデコーディングし、そのデコーディングされたデジタル信号を、コンバート部１１９を介して、ＤＥＭＵＸ部１２０に出力する。
【０１２４】
ＤＥＭＵＸ部１２０は、そのデコーディングされたデジタル信号からＣＰＵ間通信信号を分離し、そのＣＰＵ間通信信号を、ＳＣＣコントローラ１０３を通してＣＰＵ１０２に出力し、また、ＣＰＵ間通信信号が取り除かれたデジタル信号を、分離部１２１に出力する。
【０１２５】
分離部１２１は、そのデジタル信号を受け付けると、そのデジタル信号を、受信信号に基づくデジタル信号と、変換後測定データと、変換後ＩＰ電話信号と、に分離する。
【０１２６】
分離部１２１は、その受信信号に基づくデジタル信号を処理部１０１に出力し、変換後測定データをコンバート部１２２に出力し、変換後ＩＰ電話信号をコンバート部１２７に出力する。
【０１２７】
処理部１０１は、そのデジタル信号を受信すると、そのデジタル信号に対して、ベースバンド信号処理を実行する。
【０１２８】
一方、コンバート部１２２は、変換後測定データのフォーマットを変換して、変換前の測定データを生成し、その測定データを処理部１２３に出力する。
【０１２９】
処理部１２３は、その測定データを受け付けると、その測定データを処理して、必要な情報を収集する。なお、コンバート部１２２は、外部インターフェース部１２４を通して外部の計測信号収集装置６に、その測定データを提供してもよい。
【０１３０】
また、コンバート部１２７は、変更後ＩＰ電話信号のフォーマットを変更して、変更前のＩＰ電話信号を生成し、そのＩＰ電話信号を処理部１２６に出力する。
【０１３１】
処理部１２６は、そのＩＰ電話信号を受け付けると、そのＩＰ電話信号を処理し、ＩＰ電話インターフェース部１２５を通して外部ＩＰ電話網１に、そのＩＰ電話信号を出力する。
【０１３２】
これにより、ＲＥＣ−ＲＥ間での専用ＩＰ電話網が確立されることになる。
【０１３３】
本実施例によれば、以下の効果を奏する。
【０１３４】
地震観測機能、気象情報観測機能、または交通情報収集機能を有するＲＥを有するＷ-ＤＣＭＡ基地局装置を提供することが可能になる。
【０１３５】
Ｗ-ＣＤＭＡ基地局設備（主に伝送路）を利用して測定データを収集することが可能になる。
【０１３６】
ＣＰＲＩのＣｏｎｔｒｏｌフィールドのＦａｓｔ  Ｃ＆Ｍ  Ｃｈａｎｎｅｌフィールドを、測定データおよび制御信号用の専用ＩＰ伝送路として利用することが可能となる。
【０１３７】
Ｗ-ＣＤＭＡ基地局の設備により専用ＩＰ電話網が確立できるため、ＲＥ設定時およびメンテナンス時などに、一般回線に影響することなく、その専用ＩＰ電話網を、専用電話として利用することが可能となる。
【０１３８】
本実施例によれば、測定データは、ＣＰＲＩのＦａｓｔ Ｃ＆Ｍ Ｃｈａｎｎｅｌフィールドを通って、ＲＥ２００からＲＥＣ１００に送信される。このため、専用の回線を必要とせずに、測定データをＲＥＣ１００に送信でき、また、ＣＰＲＩのＦａｓｔ Ｃ＆Ｍ Ｃｈａｎｎｅｌフィールドを有効に活用できる。よって、ＲＥを有する無線基地局システムの付加価値を高め、伝送路資源を有効に利用することが可能になる。
【０１３９】
また、本実施例では、ＲＥＣ１００は、制御信号を、ＣＰＲＩのＦａｓｔ Ｃ＆Ｍ Ｃａｎｎｅｌフィールドを用いてＲＥ２００に送信し、ＲＥ２００は、ＣＰＲＩのＦａｓｔ Ｃ＆Ｍ Ｃａｎｎｅｌフィールドを用いてＲＥＣ１００から制御信号を受信し、その制御信号を、測定部出力する。
【０１４０】
この場合、制御信号は、ＣＰＲＩのＦａｓｔ Ｃ＆Ｍ Ｃｈａｎｎｅｌフィールドを通って、ＲＥＣ１００から測定部に送信されるため、専用の回線を必要とせずに、制御信号を測定部に送信でき、また、ＣＰＲＩのＦａｓｔ Ｃ＆Ｍ Ｃｈａｎｎｅｌフィールドを有効に活用できる。
【０１４１】
また、本実施例では、ＲＥＣ１００とＲＥ２００は、さらに、ＣＰＲＩのＦａｓｔ Ｃ＆Ｍ Ｃａｎｎｅｌフィールドを用いて、ＩＰ電話インターフェース部１２５および２２３を接続する。
【０１４２】
この場合、ＣＰＲＩのＦａｓｔ Ｃ＆Ｍ Ｃａｎｎｅｌフィールドが、ＲＥＣ１００とＲＥ２００間のＩＰ電話網として用いる。このため、ＲＥＣ１００とＲＥ２００間でＩＰ電話信号用の専用の回線が必要とならず、ＣＰＲＩのＦａｓｔ Ｃ＆Ｍ Ｃｈａｎｎｅｌフィールドを有効に活用できる。
【０１４３】
以上説明した実施例において、図示した構成は単なる一例であって、本発明はその構成に限定されるものではない。
【０１４４】
例えば、各測定部は、上記に限らず適宜変更可能である。また、ＲＥＣ１００に接続されるＲＥ２００の数も適宜変更可能である。
【図面の簡単な説明】
【０１４５】
【図１】本発明の一実施例の無線基地局システムのＲＥＣを示したブロック図である。
【図２】本発明の一実施例の無線基地局システムのＲＥを示したブロック図である。
【符号の説明】
【０１４６】
１００      ベースバンド信号処理装置（ＲＥＣ）
１１４      計測器制御用信号処理部
１２５      ＩＰ電話インターフェース部
１５０      通信部
２００      遠隔無線装置（ＲＥ）
２１８      地震計測部
２１９      気象情報観測部
２２０      交通情報収集部
２２１      外部インターフェース部
２２３      ＩＰ電話インターフェース部
２５０      通信部
【図１】
2007312185.tif 000003
【図２】
2007312185.tif 000004